(57)【要約】【課題】生産性の向上が図れ、顧客の多様な要求ニーズにも対応が可能なシャッタカーテンのパネル構造を提供する。【解決手段】パネル本体部２１と表パネル部２２とを具備し、前記パネル本体部の端部には隣接するパネルと連結可能な連結部１４，１５が形成され、前記表パネル部は前記パネル本体部に表側より取付け可能である。【選択図】        図１
2004257110.tif 000002
【特許請求の範囲】
【請求項１】
パネル本体部と表パネル部とを具備し、前記パネル本体部の端部には隣接するパネルと連結可能な連結部が形成され、前記表パネル部は前記パネル本体部に表側より取付け可能であることを特徴とするシャッタカーテンのパネル構造。
【請求項２】
前記表パネル部に係合部が突設され、前記表パネル部は前記パネル本体部に前記係合部を介して取付けられ、前記係合部、前記パネル本体部のいずれか一方に鉤部が形成され、他方に該鉤部が嵌合可能な鉤溝が形成された請求項１のシャッタカーテンのパネル構造。
【請求項３】
前記表パネル部は表平板部と該表平板部に取付けられる係合部とを具備する請求項２のシャッタカーテンのパネル構造。
【請求項４】
前記パネル本体部は鉤部と鉤溝との嵌合状態で、前記係合部の変位を制限する突条が形成された請求項２のシャッタカーテンのパネル構造。
【発明の詳細な説明】
【０００１】
【発明の属する技術分野】
本発明は、パネルが屈曲可能に連結されたシャッタカーテンのパネル構造に関するものである。
【０００２】
【従来の技術】
建屋等の出入口、窓等の開口部、或は車両のコンテナ、荷台の開口部等を開口するドアとして、パネルが屈曲可能に連結されて構成されるシャッタカーテンを具備するものがある。例えば、シャッタカーテンが天井面に沿って格納されるオーバへッドドア等が挙げられる。
【０００３】
図６〜図８によって、オーバヘッドドアの概略を説明する。
【０００４】
建屋等の開口部の両側柱に沿って、垂直ガイドレール１が設けられ、天井に沿って水平ガイドレール２が設けられ、前記垂直ガイドレール１と前記水平ガイドレール２とは湾曲レール３によって連結されている。前記垂直ガイドレール１の上方には水平な巻取シャフト４を具備する開閉装置５が設けられている。
【０００５】
前記垂直ガイドレール１、前記湾曲レール３、前記水平ガイドレール２に沿ってシャッタカーテン６がスライド可能となっており、該シャッタカーテン６は所要数のパネル７が屈曲自在に連結されて構成されている。
【０００６】
前記巻取シャフト４の両端部にはドラム８が設けられ、該ドラム８に巻付けられたワイヤ９が前記シャッタカーテン６の下端部に係着されている。開口部が開かれる場合は、前記巻取シャフト４を介し前記ドラム８が回転されることで前記ワイヤ９が巻取られ、前記シャッタカーテン６が前記垂直ガイドレール１に沿って引上げられ、更に前記水平ガイドレール２に格納される様になっている。
【０００７】
又、開口部が閉じられる場合は、前記開閉装置５により前記巻取シャフト４を介して前記ドラム８が逆方向に回転され、前記ワイヤ９が繰出されて前記シャッタカーテン６が降下され、開口部が閉じられる。
【０００８】
図９、図１０により従来のパネル構造について説明する。
【０００９】
前記パネル７はアルミ等の引抜き成形、或は押出し成形により製作され、主に表パネル部１１と裏パネル部１２から成る中空構造であり、中空部１０の中途部に補強用の中間リブ部１３が前記表パネル部１１と裏パネル部１２間に掛渡されて形成されている。
【００１０】
前記パネル７の上端部に図中、右上部分が欠切された円筒形状の雌連結部１４が形成され、前記パネル７の下端部にフック形状の雄連結部１５が形成され、該雄連結部１５は下側に位置するパネル７の雌連結部１４と回転自在に嵌合する。
【００１１】
前記雄連結部１５の両端には軸１６が嵌着され、該軸１６にガイドローラ１７が回転自在に設けられている。
【００１２】
而して、前記パネル７が所要枚数連結され、前記シャッタカーテン６が形成され、前記ガイドローラ１７が前記垂直ガイドレール１、前記湾曲レール３、前記水平ガイドレール２に回転自在に嵌合し、前記シャッタカーテン６は前記ガイドローラ１７を介して前記垂直ガイドレール１、前記湾曲レール３、前記水平ガイドレール２に案内され、前記垂直ガイドレール１に沿って昇降し、前記湾曲レール３を通過する場合は該湾曲レール３の形状に倣って屈曲され、更に前記水平ガイドレール２に沿って水平移動して格納される。
【００１３】
尚、シャッタカーテンのパネルを示すものとして、例えば本出願人が先に出願した特許文献１がある。
【００１４】
【特許文献１】
特開２００３−１３６７４号公報
【００１５】
【発明が解決しようとする課題】
上記した従来のシャッタカーテンのパネルは、引抜き、或は押出しで成形されており、意匠性に優れ、又多数製作する場合は低コスト化が可能となる等の優れた特徴を有している。
【００１６】
然し乍ら、一方で顧客の多様な要求ニーズに応えようとすると、パネルは多品種少量生産とならざるを得ず、引抜き、或は押出しで成形する場合、微小な変更があった場合でも、その都度、引抜き型、或は押出し型を製作しなければならず、パネルの製作費は高コストとなり、又迅速な変更対応に支障をきたす虞れがあった。
【００１７】
本発明は斯かる実情に鑑み、生産性の向上が図れ、顧客の多様な要求ニーズにも対応が可能なシャッタカーテンのパネル構造を提供するものである。
【００１８】
【課題を解決するための手段】
本発明は、パネル本体部と表パネル部とを具備し、前記パネル本体部の端部には隣接するパネルと連結可能な連結部が形成され、前記表パネル部は前記パネル本体部に表側より取付け可能であるシャッタカーテンのパネル構造に係り、又前記表パネル部に係合部が突設され、前記表パネル部は前記パネル本体部に前記係合部を介して取付けられ、前記係合部、前記パネル本体部のいずれか一方に鉤部が形成され、他方に該鉤部が嵌合可能な鉤溝が形成されたシャッタカーテンのパネル構造に係り、又前記表パネル部は表平板部と該表平板部に取付けられる係合部とを具備するシャッタカーテンのパネル構造に係り、更に又前記パネル本体部は鉤部と鉤溝との嵌合状態で、前記係合部の変位を制限する突条が形成されたシャッタカーテンのパネル構造に係るものである。
【００１９】
【発明の実施の形態】
以下、図面を参照しつつ本発明の実施の形態を説明する。
【００２０】
図１、図２に於いて第１の実施の形態について説明する。尚、図１、図２中、図９、図１０中で示したものと同等のものには同符号を付してある。
【００２１】
パネル２０は、引出し成形、押出し成形されたパネル本体部２１と引出し成形、押出し成形された表パネル部２２から構成され、該表パネル部２２は前記パネル本体部２１に対して表側から着脱可能となっている。
【００２２】
先ず、該パネル本体部２１について説明する。
【００２３】
該パネル本体部２１の上端部に上部中空部２３が形成され、更に該上部中空部２３の上端に雌連結部１４が形成される。前記パネル本体部２１の下端部に下部中空部２４が形成され、更に該下部中空部２４の下端に雄連結部１５が形成される。前記上部中空部２３の表側面（図２中左側面）は段差形状となっており、表側面は下半部２３ａに対して上半部２３ｂが後退した段差形状となっている。前記下部中空部２４の表側面下端より舌片２４ａが延出し、該舌片２４ａは前記雄連結部１５より僅かに突出している。
【００２４】
図中、前記雌連結部１４は右上部分が欠切された円筒形状をしており、前記雄連結部１５は右上部分に欠切部を有するフック形状をしている。前記雌連結部１４は上側のパネル本体部２１の雄連結部１５と回転自在に嵌合し、前記雄連結部１５は下側のパネル本体部２１の雌連結部１４と回転自在に嵌合する様になっている。
【００２５】
前記上部中空部２３の下側に連接し、断面が矩形形状の嵌合溝２５が形成される。該嵌合溝２５は、前記上部中空部２３の下側壁面２６と該下側壁面２６に対向して立設された溝壁２７によって形成され、前記下側壁面２６の溝縁部には内側に向って突出する鉤部２８が形成され、前記溝壁２７の溝縁部には内側に向って突出し、前記鉤部２８と同形状の鉤部２９が形成されている。前記嵌合溝２５の底部中央には長手方向に延びる突条３０が突設されている。
【００２６】
同様に、前記下部中空部２４の上側に連接し、断面が矩形形状の嵌合溝３１が形成される。尚、該嵌合溝３１の断面形状は前記嵌合溝２５の断面形状と対称となっているので説明を省略する。
【００２７】
該嵌合溝２５と前記嵌合溝３１間には平板状の裏平板部３２が形成され、前記パネル本体部２１の全体形状は、図１０で示される前記パネル７の表パネル部１１部分が欠如し、中空部１０が開放されたものに相当する形状となっている。
【００２８】
次に、前記表パネル部２２について説明する。
【００２９】
前記表パネル部２２は横長（紙面に対して垂直な方向に長い）の矩形平板状をしており、表平板部３３と係合部３４，３４から構成され、前記表平板部３３の上端から下端迄の長さは、前記下半部２３ａの上縁から前記舌片２４ａの下縁迄の長さとなっている。前記係合部３４は前記表平板部３３と一体成形され、前記嵌合溝２５、前記嵌合溝３１と嵌合可能であり、前記係合部３４は、対称的に形成された一対の係合片３５，３５を有している。該係合片３５，３５は弾性変形が可能な薄板となっており、漸次近接する様湾曲し、基端には前記鉤部２８、前記鉤部２９と嵌合可能な鉤溝３６，３６が形成されている。
【００３０】
前記表パネル部２２は、前記係合部３４，３４が前記嵌合溝２５，３１に嵌合することで一体化される。前記係合部３４，３４を前記嵌合溝２５，３１に押込むと、前記係合片３５が狭まる様に撓み、又前記溝壁２７が広がる様に撓み、前記係合部３４，３４が前記嵌合溝２５，３１に嵌合する。前記係合部３４，３４が完全に前記嵌合溝２５，３１に嵌合した状態では、前記鉤部２８，２９が前記鉤溝３６，３６に嵌合し、前記係合部３４，３４が前記嵌合溝２５，３１より抜脱することが抑止される。
【００３１】
尚、前記突条３０は、前記係合部３４が所定量以上に変形するのを防止するものである。前記係合片３５に過剰な荷重が作用し、該係合片３５が大きく変形した場合に、該係合片３５の先端が前記突条３０に当接し、所定量以上の変形を防止する。前記係合片３５が前記突条３０に当接した状態で前記鉤部２８，２９が前記鉤溝３６，３６から外れることがない様になっている。
【００３２】
前記表パネル部２２が前記パネル本体部２１に一体化した状態では、前記表平板部３３の上端部、下端部が前記上部中空部２３、前記下部中空部２４に当接しており、前記表パネル部２２に外力、例えば風圧が作用した場合でも、外圧は該表パネル部２２を介して前記上部中空部２３、前記下部中空部２４に伝達され、前記パネル本体部２１に作用しない。従って、該パネル本体部２１が変形することはない。
【００３３】
又、上側のパネル２０と下側のパネル２０が直線状態になると、前記舌片２４ａが前記雌連結部１４と前記雄連結部１５の連結部を覆い、前記舌片２４ａが前記上半部２３ｂに略密着するので、雨水等が連結部に浸入することがない。
【００３４】
前記表パネル部２２は前記パネル本体部２１とは別個に単体で加工できる。従って、表面に塗装、印刷、貼付、或は溝等による模様付けが可能であり、該パネル本体部２１を変更することなく、前記パネル２０の外観を変更することができる。又、前記表パネル部２２は前記パネル本体部２１に対して形状が簡単であり、前記表パネル部２２の変更は低コストで行うことができる。
【００３５】
更に、該表パネル部２２は前記パネル本体部２１と別体となることから、該パネル本体部２１とは異なる材質で製作可能となる。更に前記表パネル部２２は、形状が簡単になることから、該表パネル部２２を製作する材質としてはアルミ等の押出し成形可能な金属に限らず、樹脂、リサイクル木粉樹脂材、木材等が使用でき、多様な変更が可能となる。
【００３６】
図３、図４は、第２の実施の形態を示している。図３、図４中、図１、図２中で示したものと同等のものには同符号を付してある。
【００３７】
該第２の実施の形態では、第１の実施の形態で示した係合部３４の形状を変更し、パネル本体部２１、表パネル部２２の形状を簡略化したものである。
【００３８】
前記係合部３４は、１つの係合片３７により形成され、該係合片３７は表平板部３３に垂直立設された板状片であり、外側に鉤溝３８が形成され、該鉤溝３８より先端部３７ａは内側に傾斜している。
【００３９】
前記パネル本体部２１の上端部、下端部にはそれぞれ上部中空部２３、下部中空部２４を有しており、前記上部中空部２３の下端面、前記下部中空部２４の上端面にはそれぞれ第１鉤部３９、第２鉤部４１が複列に形成されており、前記第１鉤部３９は前記鉤溝３８に嵌合可能となっている。前記上部中空部２３の下端面、前記下部中空部２４の上端面間の寸法は前記上下係合片３７，３７間の外寸と略同一となっている。
【００４０】
又、前記鉤溝３８に前記第１鉤部３９が嵌合した状態で、前記第２鉤部４１は前記先端部３７ａに当接可能であり、該先端部３７ａが前記第２鉤部４１に当接した状態で、前記先端部３７ａの先端が裏平板部３２に形成された突条３０に当接する様になっている。
【００４１】
前記表パネル部２２を前記パネル本体部２１に取付ける場合は、前記係合片３７，３７を前記上部中空部２３の下端面、前記下部中空部２４の上端面に沿って嵌込めばよい。前記係合片３７の前記先端部３７ａが前記第１鉤部３９に乗上げて内側に撓み、更に押込むと、前記第１鉤部３９が前記鉤溝３８に嵌合する。該第１鉤部３９が前記鉤溝３８に嵌合した状態で、前記先端部３７ａの先端が前記突条３０に当接することから、前記係合片３７が前記上部中空部２３、前記下部中空部２４から離反する変位が拘束され、前記係合片３７の前記上部中空部２３、前記下部中空部２４に対する係合力は強固なものとなる。
【００４２】
雌連結部１４と雄連結部１５の連結状態等は、上記第１の実施の形態と同様であるので以下説明を省略する。
【００４３】
図５は第３の実施の形態を示している。図５中、図１、図２中で示したものと同等のものには同符号を付してある。
【００４４】
該第３の実施の形態は、上記第１の実施の形態で示した表パネル部２２を、表平板部３３と係合部３４とに分離したものである。
【００４５】
該係合部３４は螺子、リベット等の係着具により前記表平板部３３に固着される。尚、該表平板部３３に対する前記係合部３４の位置決めが容易な様に、前記表平板部３３に、前記係合部３４が嵌合する溝を形成してもよい。
【００４６】
前記表平板部３３と前記係合部３４とが一体化され、該係合部３４をパネル本体部２１の嵌合溝２５、嵌合溝３１に嵌合することで、前記表パネル部２２が前記パネル本体部２１に一体化され、図１で示したと同様のパネル２０が構成される。
【００４７】
第３の実施の形態では、前記パネル本体部２１と前記係合部３４とが共通部品となり、前記表平板部３３のみが変更の対称となる。従って、変更は更に容易となる。特に、該表平板部３３は平板であるので、高い精度は必要なく、引抜き加工、押出し加工は必要なく、スチールやステンレス等の金属板、木材、合成樹脂材等の平板からも製作可能であり、製作コストは低く抑えられ、従来にない質感を持つパネル２０の製作が可能となる。
【００４８】
又、前記表平板部３３が平板であることから、塗装、印刷、貼付、更に表面加工を行う場合の取扱い性が良く、作業性が向上する。
【００４９】
尚、特に図示していないが、上記第２の実施の形態で説明した、前記係合片３７と前記表平板部３３とを別体とし、螺子等の係着具より前記係合片３７と前記表平板部３３とを固着する様にしてもよい。
【００５０】
尚、上記第２の実施の形態では前記係合片３７を介し、前記鉤溝３８と前記第１鉤部３９との嵌合で前記表パネル部２２と前記パネル本体部２１とを一体化したが、前記鉤溝３８と前記第１鉤部３９とを省略し、前記係合片３７の先端部を前記裏平板部３２に当接する様に直角に屈曲させ、螺子等の係着具により該裏平板部３２と前記係合片３７の先端部とを固着してもよい。
【００５１】
又、前記係合部に鉤溝を形成し、パネル本体部側に鉤部を形成したが、前記係合部に鉤部を形成し、前記パネル本体部側に鉤溝を形成してもよい。
【００５２】
尚、本発明の対象となるシャッタカーテンの開閉移動方向は、上下方向、左右方向等任意である。更に、パネルの表パネル部は、例えば、建物の内観を充実させたい等の要求ニーズにより建物の内部側に面して取付けられる等、取付けられる側の面も任意である。
【００５３】
【発明の効果】
以上述べた如く本発明によれば、パネル本体部と表パネル部とを具備し、前記パネル本体部の端部には隣接するパネルと連結可能な連結部が形成され、前記表パネル部は前記パネル本体部に表側より取付け可能であるので、パネルの変更があった場合に、表パネル部のみの変更で対応が可能であり、顧客の多様な要求ニーズにも対応が容易であり、表パネル部は形状が簡単であるので、種々の材料が使用可能であり、製作コストの低減、或は意匠性の向上を図ることが可能である。
【００５４】
又、前記表パネル部に係合部が突設され、前記表パネル部は前記パネル本体部に前記係合部を介して取付けられ、前記係合部、前記パネル本体部のいずれか一方に鉤部が形成され、他方に該鉤部が嵌合可能な鉤溝が形成されたので、表パネル部のパネル本体部への取付けは、係合部を介してパネル本体部に嵌合させるだけでよく、作業性が優れている。
【００５５】
更に、前記表パネル部は表平板部と該表平板部に取付けられる係合部とを具備するので、表平板部は高い精度を必要とせず、パネルの製作コストの低減が可能であり、又パネルの変更があった場合、変更は表平板部のみで対応できるので、低コストで、迅速な対応が可能となる。
【００５６】
更に又、前記パネル本体部は鉤部と鉤溝との嵌合状態で、前記係合部の変位を制限する突条が形成されたので、パネル本体部と表パネル部の結合が確実、強固となる等の優れた効果を発揮する。
【図面の簡単な説明】
【図１】本発明の第１の実施の形態を示す側断面図である。
【図２】本発明の第１の実施の形態を示す分解側断面図である。
【図３】本発明の第２の実施の形態を示す側断面図である。
【図４】本発明の第２の実施の形態を示す分解側断面図である。
【図５】本発明の第３の実施の形態を示す分解側断面図である。
【図６】オーバヘッドドアの概略側面図である。
【図７】オーバヘッドドアの概略正面図である。
【図８】オーバヘッドドアの開閉装置の概略図である。
【図９】従来例のシャッタカーテンの要部斜視図である。
【図１０】従来例のシャッタカーテンのパネル構造を示す側断面図である。
【符号の説明】
１４        雌連結部
１５        雄連結部
２０        パネル
２１        パネル本体部
２２        表パネル部
２５        嵌合溝
２８        鉤部
２９        鉤部
３０        突条
３１        嵌合溝
３２        裏平板部
３３        表平板部
３４        係合部
３５        係合片
３６        鉤溝
３７        係合片
３８        鉤溝
３９        第１鉤部
４１        第２鉤部
【図１】
2004257110.tif 000003
【図２】
2004257110.tif 000004
【図３】
2004257110.tif 000005
【図４】
2004257110.tif 000006
【図５】
2004257110.tif 000007
【図６】
2004257110.tif 000008
【図７】
2004257110.tif 000009
【図８】
2004257110.tif 000010
【図９】
2004257110.tif 000011
【図１０】
2004257110.tif 000012